(57)【要約】      （修正有）【課題】床部が基体の収納部を床部が閉塞した状態で、基体の内部から床部を上方に回動操作可能な、安全性に優れたベッド装置を提供すること。【解決手段】上方が開口し内部に収納部１６を設けた基体１０と、基体１０の収納部１６を閉塞する床体２０と、基体１０と床体２０を相対回動可能に連結するリンク機構３０と、床体２０を開口する方向に付勢し任意の開口位置で床体２０を保持するロック機構付きガススプリング４０と、ロック機構付きガススプリング４０を操作する第１レバー６０と、第１レバー６０の操作を前記固定手段に伝達するワイヤ７０とを備える。更に、基体１０の内部に床体２０を上方に回動可能にする第２レバー８０を備える。【選択図】図１
2009039508.tif 000002
【特許請求の範囲】
【請求項１】
上方が開口し内部に収納部を設けた基体と、
前記基体の前記収納部を閉塞する床部と、
前記基体と前記床部を相対回動可能に連結する連結手段と、
前記床部を開口する方向に付勢する付勢手段と、
任意の開口位置で前記床部を保持する固定手段と、
前記固定手段の保持状態を解除する第１レバー手段と、
前記第１レバー手段の操作を前記固定手段に伝達する伝達手段と、を備えるベッド装置。
【請求項２】
前記固定手段は、前記基体の幅方向の両側に設けられ、前記レバー手段により同時に操作される、ことを特徴とする請求項１に記載のベッド装置。
【請求項３】
前記伝達手段は、前記床部の内部に設けられた、ことを特徴とする請求項１または２に記載のベッド装置。
【請求項４】
前記床部は、前記連結手段の側面を覆うカバー部材を備える、ことを特徴とする請求項１乃至３のいずれか一項に記載のベッド装置。
【請求項５】
前記付勢手段と前記固定手段は、一体に構成されたロック機構付きガススプリングである、ことを特徴とする請求項１乃至４のいずれか一項に記載のベッド装置。
【請求項６】
前記基体の内部に前記床部を上方に回動可能にする第２レバー手段を設けた、ことを特徴とする請求項１に記載のベッド装置。
【請求項７】
前記第２レバー手段の操作により前記床部を所定の開口位置まで回動する弾性部材を備える、ことを特徴とする請求項６に記載のベッド装置。
【請求項８】
前記第２レバー手段はレバーピンを備え、前記弾性部材は前記レバーピンと係合する溝を設けたスライドピンを備える、ことを特徴とする請求項６または請求項７のいずれかに記載のベッド装置。
【請求項９】
前記基体は、前記床部が前記収納部を閉塞した状態で基体の内部から前記第２レバー手段を視認可能にする採光穴を備えること、を特徴とする請求項６乃至８の少なくともいずれか一項に記載のベッド装置。
【請求項１０】
前記第２レバー手段は、夜光部材を備えること、を特徴とする請求項６乃至９の少なくともいずれか一項に記載のベッド装置。
【発明の詳細な説明】
【技術分野】
【０００１】
本発明は、基体に収納部を備え、基体と床部が相対回動して開口するベッド装置に関する。
【背景技術】
【０００２】
従来技術として、収納部と収納部の上方開口部を閉塞する開閉可能な床部を備え、開口部の後縁部に床部を枢着し、収納部と床部をガススプリングからなる伸縮支持杆で枢結したベッドが開示されている。伸縮支持杆は、床部を上方へ揺動する方向に常時弾発付勢し、収納部と床部の揺動角度が一定角度以上になると、ガススプリングの付勢力により床部は全開に開口する（例えば、特許文献１参照。）。
【０００３】
また、上面が開口し内部を収容部とした基体と、該基体の一端部に回動可能に連結されほぼ水平に倒伏した状態で基体の開口を閉塞する床部と、該床部と基体に一端と他端を回動可能に連結して設けられその付勢力によって床部の他端部が上昇する回動方向に付勢したガススプリングと、床板体をほぼ水平に倒伏させたときに床板体が上方に回動するのを阻止する保持手段とを備えたベッド装置が開示されている（例えば、特許文献２参照。）。
【特許文献１】特開２０００−１７５７７５号公報
【特許文献２】特開２００６−３２０５５３号公報
【発明の開示】
【発明が解決しようとする課題】
【０００４】
しかしながら従来技術の床部は、収納部へ収納物を出し入れする際に、床部を収納物に合わせた開口位置で保持することが困難で、収納物が床部に当たると、床部の開口位置が変わるため、作業性と安全性に問題があった。また、床部が全開に開口した位置にあると、子供等の背の低い作業者の手が床部に届かないという問題がある。
【０００５】
本発明は上記問題に鑑みて成されたものであり、床部を収納物に合わせた任意の開口位置で保持することが可能で、作業性と安全性に優れたベッド装置を提供することを目的とする。
【課題を解決するための手段】
【０００６】
上記課題を解決するため、請求項１に記載の発明は、上方が開口し内部に収納部を設けた基体と、前記基体の前記収納部を閉塞する床部と、前記床部を前記基体に回動可能に連結する連結手段と、前記床部を開口する方向に付勢する付勢手段と、任意の開口位置で前記床部を保持する固定手段と、前記固定手段の保持を解除する第１レバー手段と、前記レバー手段の操作を前記固定手段に伝達する伝達手段と、を備える。
【０００７】
また、請求項２に記載の発明は、前記固定手段は、前記基体の幅方向の両側に設けられ、前記第１レバー手段により同時に操作される。
【０００８】
また、請求項３に記載の発明は、前記伝達手段は、前記床部の内部に設けられる。
【０００９】
また、請求項４に記載の発明は、前記床部は、前記連結手段の側面を覆うカバー部材を備える。
【００１０】
また、請求項５に記載の発明は、前記付勢手段と前記固定手段は、一体に構成されたロック機構付きガススプリングである。
【００１１】
また、請求項６に記載の発明は、更に、前記基体の内部に前記床部を上方に回動可能にする第２レバー手段を設けた、ことを特徴とする。
【００１２】
また、請求項７に記載の発明は、前記第２レバー手段の操作により前記床部を所定の開口位置まで回動する弾性部材を備える、ことを特徴とする。
【００１３】
また、請求項８に記載の発明は、前記第２レバー手段はレバーピンを備え、前記弾性部材は前記レバーピンと係合する溝を設けたスライドピンを備える、ことを特徴とする。
【００１４】
また、請求項９に記載の発明は、前記基体は、前記床部が前記収納部を閉塞した状態で基体の内部から前記第２レバー手段を視認可能にする採光穴を備えること、を特徴とする。
【００１５】
また、請求項１０に記載の発明は、前記第２レバー手段は、夜光部材を備えること、を特徴とする。
【発明の効果】
【００１６】
請求項１に記載の発明では、固定手段により、床部の開口位置を収納物に合わせることができ、床部は固定手段により保持されるため、収納物が床部に当たっても、床部の開口位置が変わらず、作業性と安全性が向上する。また、床部を全開に開口する必要がないため、子供等の背の低い作業者の手が床部に届かないという問題を解決できる。
【００１７】
また、請求項２に記載の発明は、前記基体の幅方向の両側に設けられた固定手段は、前記レバー手段により同時に操作されるので、床部の両側を同じ回動角度に保持することができ、床部のねじれ変形の防止及び床部の開口状態での保持強度を向上できる。
【００１８】
また、請求項３に記載の発明は、前記伝達手段は前記床部の内部に設けられるので、収納部へ収納物を出し入れする際に伝達手段が邪魔にならず作業性が向上する。また、伝達手段は床部内に保護されるため、収納物を出し入れする際に伝達手段に触れることによる故障等を防止できる。
【００１９】
また、請求項４に記載の発明は、連結手段の側面を覆うカバー部材を床部に備えるため、連結手段は使用者から見えず、意匠性及び安全性が向上する。
【００２０】
また、請求項５に記載の発明は、付勢手段と前記固定手段に、一体に構成したロック機構付きガススプリングを用いるので、収納部の省スペース化による収納スペースの確保、装置の簡略化が可能になる。
【００２１】
また、請求項６に記載の発明は、更に、基体の内部に床部を上方に回動可能にする第２レバー手段を設けたため、何らかの原因により人が誤って収納部に入った状態で基体の収納部を床部が閉塞（ロックされた状態）しても、基体の外に他の人がいなくても基体の内部にいる本人が床部を上方に回動操作可能になり、ベッド装置の安全性を更に高めることが出来る。
【００２２】
また、請求項７に記載の発明では、第２レバー手段の操作により床部を所定の開口位置まで弾性部材により回動できる。したがって力の弱い、子供、女性、老人でも、容易に床部を所定の開口位置まで回動できる。
【００２３】
また、請求項８に記載の発明では、第２レバー手段のレバーピンが、弾性部材のスライドピンの溝と係合する構造にすることで、電子的な制御等を用いることなく簡単なメカ構造でコストを抑えながら基体の内部にいる本人が床部を上方に回動操作可能にできる。
【００２４】
また、請求項９に記載の発明では、基体は床部が前記収納部を閉塞した状態で基体の内部から第２レバー手段を視認可能にする採光穴を備えるため、基体の内部にいる本人が床部を上方に回動操作する第２レバー手段を容易に見つけることができる。
【００２５】
また、請求項１０に記載の発明では、第２レバー手段は夜光部材（例えば夜光塗料）を備えるため、基体の内部にいる本人が床部を上方に回動操作する第２レバー手段を容易に見つけることができる。
【発明を実施するための最良の形態】
【００２６】
以下に本発明の実施形態を図面に基づいて説明する。
【００２７】
図１は、本発明のベッド装置１で、収納部１６を閉塞した状態を示す部分断面側面図である。ベッド装置１は、長手方向の一端にヘッドフレーム１１と他端にフットフレーム１２と幅方向には側板１３、１４と底部に底板１５とから構成される上面が開口した箱型形状の基体１０を備えている。基体１０の内部には収納部１６が構成される。基体１０の長手方向の長さ寸法より長く、長手方向の一端部にはリンク機構３０（連結手段）によって回動可能に設けられた床体２０（床部）が、基体１０の上面開口を閉塞するように設けられる。基体１０の側板１３、１４には、床体２０が収納部１６を閉塞した状態で基体１０の内部から第２レバー８０（第２レバー手段）を視認可能にする採光穴１７が設けられる。床体２０の上部には、図示しないマットレスが載置される。
【００２８】
側板１４に取付けられたガススプリング９０（弾性部材）のスライドピン９１と床体２０の下面に取付けられた固定具４１に、ロック機構付きガススプリング４０（付勢手段、固定手段）の一端と他端が回動自在に取付けられる。同様に側板１３と床体２０にもロック機構付きガススプリング４０が回動自在に取付けられる。
【００２９】
リンク機構３０は、床体２０の長手方向のヘッドフレーム１１側端部であって、側板１４の内側（収納部１６側）へ取付けられた取付板４２と、床体２０の下面に取付けられた取付板３１にピン３３で回動自在に取付けられた第１のリンク３４と第２のリンク３５と、で構成される。側板１３の収納部１６側（内側）と床体２０の下面にも同様にリンク機構３０が設けられる。尚、取付板４２は、Ｌ字型をなして、側板１４の内側と底板１５の表面に堅牢に固定される。これにより、側板１４と底板１５との間の連結強度が増し、ガススプリング９０の大きな作用力が取付板４２を介して側板１４に作用しても、側板１４と底板１５とが乖離することはない。
【００３０】
床体２０の長手方向で、フットフレーム１２より外方（図１の右側）に、ワイヤ７０（伝達手段）を介してロック機構付きガススプリング４０の固定及び解除を操作する第１レバー６０（第１レバー手段）が設けられる。第１レバー６０を操作するとワイヤ７０は引っ張られ、ロック機構付きガススプリング４０の固定が解除される。床体２０の回動角度を変更し、開口が任意の位置に調整した後、第１レバー６０を戻すと、ロック機構付きガススプリング４０により床体２０は固定（保持）される。
【００３１】
ベッド装置１の床体２０を回動して任意の開口位置で保持した状態を二点鎖線で示す。床体２０は、リンク機構３０により任意の角度に調整することができる。床体２０にマットレスを載置しても、床体２０はリンク機構３０によりヘッドフレーム１１と離間する方向（図１の右側）に移動して、床板１１の回動を妨げない構造になっている。また、床体２０には、リンク機構３０の側面を覆うリンクカバー３６が設けられる。床体２０が回動したとき、リンクカバー３６はリンク機構３０の側面を覆うので、使用者からはリンク機構３０は見えない。
【００３２】
ベッド装置１の床体２０をガススプリング９０により所定の開口位置まで回動した状態を一点鎖線で示す。ガススプリング９０のスライドピン９１は、基体１０の内部の側板１３、１４に設けた第２レバー８０（第２レバー手段）の操作により、床体２０を上方に回動する。床体２０は、一点鎖線で示す位置（所定の開口位置）まで回動する。また、ロック機構付きガススプリング４０も、固定を維持したまま、床体２０を上方に回動する。
【００３３】
図２は、本発明のベッド装置１の平面図である。ベッド装置１の幅方向には側板１３、１４が設けられ、それぞれにロック機構付きガススプリング４０を備える。ワイヤ７０は、床体２０の内部に設けられ、第１レバー６０の操作をベッド装置１の両側に設けたロック機構付きガススプリング４０に伝達する。ワイヤ７０はワイヤカバー７１を用いて床体２０の内部に収容されるが、ワイヤカバー７１は必須ではなく、回動自在に設けたローラーを備えたローラーユニットを適格用いて床体２０の内部にワイヤ７０を配設しても良い。またワイヤに代えて、複数の金属製のロッドとこれを連結する連結部材で構成しても良く、油圧装置を用いてもよい。
【００３４】
ガススプリング９０と第２レバー８０は、側板１３、１４に夫々設けられる。夫々の第２レバー８０は連動しており、一方の第２レバー８０を操作すると、他方も動作する構成である。ガススプリング９０は床体２０を上方に回動する。
【００３５】
図３は、第１レバー６０の断面拡大図である。床体２０に配設されたワイヤカバー７１に収納されたワイヤ７０の端部には、金属製の端子片７２が設けられる。端子片７２はワイヤ接続具６２の一端に取付けられ、ワイヤ接続具６２の他端は第１レバー６０の作用軸６１に取付けられる。第１レバー６０が操作されると、端子片７２が引っ張られる。
【００３６】
図４は、ロック機構付きガススプリング４０の断面図である。ロック機構付きガススプリング４０は、金属製のケーシング４３、圧縮されたガスを貯めるガス貯蔵部４４、圧縮されたガスによりケーシング４３内を移動可能に構成されたフリーピストン４５、第１のオイル室５１、第２のオイル室５２、ピストン４７の固定及び固定を解除するバルブ５５を備えたバルブ体５４、ピストン４７に係合してケーシング４３の長手方向に伸縮するピストンロッド４６、シール体５９から構成されている。バルブ体５４は、他端に設けたバルブ５５の上下方向の移動により、第１のオイル室５１、第１のオイル室５２のオイルの移動を制御する。第１レバー６０が操作されると、バルブ５５はピストン開口部を離れ、ガス貯蔵部４４のガスの圧力でピストン４７は一定の力で上方へ付勢される。
【００３７】
図５は、ロック機構付きガススプリング４０の部分断面を示す説明図である。第１レバー６０を操作しながら床体２０を上方向に回動すると、第２のオイル室５２のオイルは、ピストン４７に設けたオリフィス５８からピストン連通口５７を通過して第１のオイル室５１へ移動する。第１レバー６０を操作しながら、床体２０を下方へ回動すると、第１のオイル室５１のオイルはピストン４７に設けられたピストン連通口５７からオリフィス５８を通過し第２のオイル室５２へ移動する。
【００３８】
図６は、第２レバー８０とガススプリング９０の詳細を示す説明図である。第２レバー８０は、レバーピン８１を備え、レバーピン８１はレバー軸８２を中心に回動する。レバーピン８１の一端は操作部８３が設けられ、夜光塗料が塗布されている。ガススプリング９０は、上下にスライドするスライドピン９１を備え、スライドピン９１にはレバーピン８１と係合する溝９２が設けられている。スライドピン９１にはロック機構付きガススプリング４０の一端が回動自在に取付けられる。
【００３９】
図７は、第２レバー８０を操作した状態を示す説明図である。操作部８３をレバー軸８２を中心に回動すると、レバーピン８１と溝９２の係合が外れ、スライドピン９１は上昇すると同時に床体２０も上方に回動する。床体２０を下方（収納部を閉塞する方向）に回動すると、レバーピン８１が溝９２と係合して、固定される。
【００４０】
本発明のベッド装置１では、基体１０の内部に床体２０を上方に回動可能にする第２レバー８０を設けたため、何らかの原因により人が誤って収納部１６に入った状態で基体１０の収納部１６を床体２０が閉塞（ロックされた状態）しても、基体１０の内部にいる本人が床体２０を上方に回動操作可能であり、安全性に優れたベッド装置１を提供できる。固より、収納部１６の容積によっては収納部１６の内部に人がすっぽりと入ってしまわないこともあるので、この場合は、第２レバー８０は設けなくても良い。
【００４１】
また、床体２０を所定の開口位置まで回動できるガススプリング９０を設けることで、力の弱い、子供、女性、老人でも、容易に床体２０を所定の開口位置まで回動できる。
【００４２】
また、第２レバー８０のレバーピン８１が、ガススプリング９０のスライドピン９１の溝９２と係合する構造にすることで、電子的な制御等を用いることなく簡単なメカ構造でコストを抑えながら基体１０の内部にいる本人が床体２０を上方に回動操作可能にできる。
【００４３】
また、基体１０の側板１３、１４には床体２０が収納部１６を閉塞した状態で基体１０の内部から第２レバー８０を視認可能にする採光穴１７が設けられるため、基体１０の内部にいる本人が床体２０を上方に回動操作する第２レバー８０を容易に見つけることができる。
【００４４】
また、第２レバー８０の操作部８３には夜光塗料が塗布されるため、基体１０の内部にいる本人が床体２０を上方に回動操作する第２レバー８０を容易に見つけることができる。
【００４５】
また、基体１０の幅方向の両側に設けられたロック機構付きガススプリング４０は第１レバー６０により同時に操作されるので、床体２０の両側を同じ回動角度に保持することができ、床体２０のねじれ変形の防止及び床体１１の開口状態での保持強度を向上できる。
【００４６】
また、ワイヤ７０は床体２０の内部に設けられるので、収納部１６へ収納物を出し入れする際にワイヤ７０は収納物の出し入れの邪魔にならず作業性が向上する。また、ワイヤ７０は床体２０内で保護されるため、収納物を出し入れする際にワイヤに触れることによる故障等を防止できる。
【００４７】
また、リンク機構３０の側面を覆うリンクカバー３６を床体２０に備えるため、リンク機構３０は使用者から見えず、意匠性及び安全性が向上する。
【００４８】
また、付勢手段と前記固定手段を一体に構成したロック機構付きガススプリング４０を用いるので、収納部１６の省スペース化による収納スペースの確保、装置の簡略化が可能になる。
【図面の簡単な説明】
【００４９】
【図１】本発明のベッド装置で、収納部を閉塞した状態を示す部分断面側面図である。
【図２】本発明のベッド装置の平面図である。
【図３】第１レバーの断面拡大図である。
【図４】ロック機構付きガススプリングの断面図である。
【図５】ロック機構付きガススプリングの部分断面を示す説明図である。
【図６】第２レバーとガススプリングの詳細を示す説明図である。
【図７】第２レバーを操作した状態を示す説明図である。
【符号の説明】
【００５０】
１  ベッド装置
１０  基体
１６  収納部
２０  床体（床部）
３０  リンク機構（連結手段）
４０  ロック機構付きガススプリング（付勢手段、固定手段）
６０  第１レバー（第１レバー手段）
７０  ワイヤ（伝達手段）
８０  第２レバー（第２レバー手段）
９０  ガススプリング（弾性部材）
【図１】
2009039508.tif 000003
【図２】
2009039508.tif 000004
【図３】
2009039508.tif 000005
【図４】
2009039508.tif 000006
【図５】
2009039508.tif 000007
【図６】
2009039508.tif 000008
【図７】
2009039508.tif 000009